(57)【要約】      （修正有）【課題】ゲームごとにレンタル契約を結んだスポンサー企業に懸賞を付けさせ、これらの懸賞ゲームをスポンサー企業の販売促進に役立つ形で会員に提供するシステムを提供すること。【解決手段】ゲームサービスプロバイダ（ＧＳＰ）のＷＷＷサイト１００と、各スポンサー企業のＷＷＷサイト３に設けられた、そのスポンサー企業の懸賞ゲーム１６０を案内する懸賞ゲーム案内ページと、各スポンサー企業の広報に寄与する企業広報手段６０，１６２、３４Ｌ、または１１０とを含む。ＧＳＰのサイト１００が、スポンサー企業を獲得するためのスポンサー獲得手段と、各スポンサー企業が主催する懸賞ゲームを提供する懸賞ゲームページ１６０とを含む。企業広報手段は、会員を各スポンサー企業の懸賞ゲームページ１６０からそのスポンサー企業のサイト３へと誘導する会員誘導手段からなる。【選択図】図２
2006350872.tif 000002
【特許請求の範囲】
【請求項１】
ゲームサービスプロバイダ（ＧＳＰ）が作成した種々のゲームにレンタル契約を結んだスポンサー企業に懸賞を付けさせ、これらの懸賞ゲームを前記スポンサー企業の販売促進に役立つ形で会員に提供するゲームサービスシステムであり、
ゲームサービスを提供するＧＳＰのＷＷＷ（world wide web）サイトと、
各スポンサー企業のＷＷＷサイトに設けられ、当該スポンサー企業の懸賞ゲームを案内する懸賞ゲーム案内ページと、
各スポンサー企業の広報に寄与する企業広報手段とを含み、
前記ＧＳＰのＷＷＷサイトが、
スポンサー企業を獲得するためのスポンサー獲得手段と、
各スポンサー企業が主催する懸賞ゲームを提供する懸賞ゲームページと、を含むことを特徴とするゲームサービスシステム。
【請求項２】
前記企業広報手段は、各スポンサー企業ごとに設けられ、会員を各スポンサー企業の懸賞ゲームページから各スポンサー企業のＷＷＷサイトへと誘導する会員誘導手段からなることを特徴とする請求項１記載のゲームサービスシステム。
【請求項３】
前記会員誘導手段は、
各スポンサー企業のＷＷＷサイトに設けられた、前記懸賞ゲームの成績ランキングと、
前記会員を前記成績ランキングへと誘導するリンク手段とを含むことを特徴とする請求項２記載のゲームサービスシステム。
【請求項４】
前記リンク手段は、
前記ＧＳＰのＷＷＷサイトに各スポンサー企業ごとに設けられ、前記成績ランキングを表す表記を有し、当該スポンサー企業のＷＷＷサイトへ誘導するスポンサー企業宛リンク手段と、
前記スポンサー企業宛リンク手段のリンク先のページに設けられ、前記成績ランキングを表す表記を有し、前記成績ランキングが含まれるページへと誘導するランキング宛リンクとを含むことを特徴とする請求項３記載のゲームサービスシステム。
【請求項５】
前記企業広報手段は、前記ＧＳＰのＷＷＷサイトに設けられたスポンサー企業リストを含み、前記スポンサー企業リストは、各スポンサー企業の企業名で表記された各スポンサー企業のＷＷＷサイトへのリンクからなることを特徴とする請求項１乃至４の何れか一項に記載のゲームサービスシステム。
【請求項６】
前記ＧＳＰのＷＷＷサイトは、会員の個人情報を収集する情報収集手段を備えたことを特徴とする請求項１乃至５の何れか一項に記載のゲームサービスシステム。
【請求項７】
前記情報収集手段は、会員のみゲームができるようにする基本情報収集手段を含むことを特徴とする請求項６記載のゲームサービスシステム。
【請求項８】
前記基本情報収集手段は、
前記訪問者に前記訪問者の基本的情報を入力し、かつログイン時に使用するキー情報を決定することにより会員として登録する会員登録手段と、
前記キー情報を用いてログインに成功した場合のみ、前記ゲームを許すログイン手段と、を含むことを特徴とする請求項７記載のゲームサービスシステム。
【請求項９】
前記情報収集手段は、前記会員の趣味やライフスタイルなどに関わる種々の個人的な詳細情報を収集する詳細情報収集手段を、さらに含むことを特徴とする請求項７または８に記載のゲームサービスシステム。
【請求項１０】
前記詳細情報収集手段は、
前記前記ＧＳＰが主催する種々の賞金ゲームと、
各賞金ゲームに先立ち、アンケートに回答させるアンケート手段と、
前記アンケートに許される方法で回答した場合に限り、前記賞金ゲームへの参加資格を付与する資格付与手段と、を含むことを特徴とする請求項９記載のゲームサービスシステム。
【請求項１１】
ゲームサービスプロバイダ（ＧＳＰ）が作成した種々のゲームにレンタル契約を結んだスポンサー企業に懸賞を付けさせ、これらの懸賞ゲームを前記スポンサー企業の販売促進に役立つ形で会員に提供するゲームサービス方法であり、
スポンサー企業を獲得するためのスポンサー獲得手段と、各スポンサー企業が主催する懸賞ゲームを提供する懸賞ゲームページと、を含むＧＳＰのＷＷＷ（world wide web）サイトを作成運用するステップと、
各スポンサー企業ごとに、当該スポンサー企業の懸賞ゲームを案内する懸賞ゲーム案内ページを当該スポンサー企業のＷＷＷサイトに設けるステップと、
各スポンサー企業の広報に寄与する企業広報手段を設けるステップと、を含むことを特徴とするゲームサービス方法。
【請求項１２】
各スポンサー企業ごとに、会員を当該スポンサー企業の懸賞ゲームページから当該スポンサー企業のＷＷＷサイトへと誘導する会員誘導手段を前記企業広報手段として設けるステップを、さらに含むことを特徴とする請求項１１記載のゲームサービス方法。
【請求項１３】
前記会員誘導手段は、
各スポンサー企業のＷＷＷサイトに設けられた、前記懸賞ゲームの成績ランキングと、
前記会員を前記成績ランキングへと誘導するリンク手段と、を含むことを特徴とする請求項１２記載のゲームサービス方法。
【請求項１４】
前記リンク手段は、
前記ＧＳＰのＷＷＷサイトに各スポンサー企業ごとに設けられ、前記成績ランキングを表す表記を有し、当該スポンサー企業のＷＷＷサイトへ誘導するスポンサー企業宛リンク手段と、
前記スポンサー企業宛リンク手段のリンク先のページに設けられ、前記成績ランキングを表す表記を有し、前記成績ランキングが含まれるページへと誘導するランキング宛リンクと、を含むことを特徴とする請求項１３記載のゲームサービス方法。
【請求項１５】
前記企業広報手段として、前記ＧＳＰのＷＷＷサイトにスポンサー企業リストを設けるステップと、
新たなスポンサー企業を獲得した場合、前記新たなスポンサー企業の企業名で表記された前記新たなスポンサー企業のＷＷＷサイトへのリンクを前記スポンサー企業リストに追加するステップと、をさらに含むことを特徴とする請求項１１乃至１４の何れか一項に記載のゲームサービス方法。
【請求項１６】
前記ＧＳＰのＷＷＷサイトに、会員の個人情報を収集する情報収集手段を設けるステップを、さらに含むことを特徴とする請求項１１乃至１５の何れか一項に記載のゲームサービス方法。
【請求項１７】
前記情報収集手段は、会員のみゲームができるようにする基本情報収集手段を含むことを特徴とする請求項１６記載のゲームサービス方法。
【請求項１８】
前記基本情報収集手段は、
前記訪問者に前記訪問者の基本的情報を入力し、かつログイン時に使用するキー情報を決定することにより会員として登録する会員登録手段と、
前記キー情報を用いてログインに成功した場合のみ、前記ゲームを許すログイン手段と、を含むことを特徴とする請求項１７記載のゲームサービス方法。
【請求項１９】
前記情報収集手段は、前記会員の趣味やライフスタイルなどに関わる種々の個人的な詳細情報を収集する詳細情報収集手段を、さらに含むことを特徴とする請求項１７または１８に記載のゲームサービス方法。
【請求項２０】
前記詳細情報収集手段は、
前記前記ＧＳＰが主催する種々の賞金ゲームと、
各賞金ゲームに先立ち、アンケートに回答させるアンケート手段と、
前記アンケートに許される方法で回答した場合に限り、他の賞金ゲ前記賞金ゲームへの参加資格を付与する資格付与手段と、を含むことを特徴とする請求項１９記載のゲームサービス方法。
【発明の詳細な説明】
【技術分野】
【０００１】
本発明は、ゲームサービスプロバイダ（ＧＳＰ）が作成した種々のゲームにレンタル契約を結んだスポンサー企業に懸賞を付けさせ、これらの懸賞ゲームを会員に提供するゲームサービス方法及びゲームサービスシステムに関する。
【背景技術】
【０００２】
種々のゲームを作成し、これらのゲームに対するレンタル契約を結ぶスポンサー企業を獲得し、そのスポンサー企業にレンタルしたゲームに懸賞を出させることにより運営される懸賞ゲームを会員に提供するゲームサービス方法またはゲームサービスシステムがある。このようなサービスを提供する企業をここでは仮にゲームサービスプロバイダ（ＧＳＰ）と称する。このようなシステムにおいては、ＧＳＰは、スポンサー企業からのレンタル料を収入源とし、スポンサー企業は、レンタル料及び懸賞のコストと引き替えに少しでも販売促進に役立つことを期待し、利用者は、興味のあるゲームを楽しみながら懸賞を期待する。
【発明の開示】
【発明が解決しようとする課題】
【０００３】
したがって、ゲームサービス方法またはシステムが成功しＧＳＰが利益を得るには、スポンサー企業の数を増やすことが必要である。そのためには、スポンサー企業の販売促進に役立つようなシステムでなければならない。
本発明は、この観点からなされたものであり、種々のゲームにレンタル契約を結んだスポンサー企業に懸賞を付けさせ、これらの懸賞ゲームを前記スポンサー企業の販売促進に役立つ形で会員に提供するゲームサービス方法及びシステムを提供することを目的とする。
【課題を解決するための手段】
【０００４】
本発明は、一面において、ゲームサービスプロバイダ（ＧＳＰ）が作成した種々のゲームにレンタル契約を結んだスポンサー企業に懸賞を付けさせ、これらの懸賞ゲームを前記スポンサー企業の販売促進に役立つ形で会員に提供するゲームサービスシステムを提供する。本発明のゲームサービスシステムは、ゲームサービスを提供するＧＳＰのＷＷＷ（world wide web）サイトと、各スポンサー企業のＷＷＷサイトに設けられ、当該スポンサー企業の懸賞ゲームを案内する懸賞ゲーム案内ページと、各スポンサー企業の広報に寄与する企業広報手段とを含み、前記ＧＳＰのＷＷＷサイトが、スポンサー企業を獲得するためのスポンサー獲得手段と、各スポンサー企業が主催する懸賞ゲームを提供する懸賞ゲームページとを含むことを特徴とするゲームサービスシステム。このゲームサービスシステムによれば、各スポンサー企業の広報に寄与するので、販売促進に役立つ。
前記企業広報手段は、各スポンサー企業ごとに設けられ、会員を各スポンサー企業の懸賞ゲームページから各スポンサー企業のＷＷＷサイトへと誘導する会員誘導手段からなる。
前記会員誘導手段は、各スポンサー企業のＷＷＷサイトに設けられた、前記懸賞ゲームの成績ランキングと、前記会員を前記成績ランキングへと誘導するリンク手段とを含む。
好ましい実施例では、前記リンク手段は、前記ＧＳＰのＷＷＷサイトに各スポンサー企業ごとに設けられ、前記成績ランキングを表す表記を有し、当該スポンサー企業のＷＷＷサイトへ誘導するスポンサー企業宛リンク手段と、前記スポンサー企業宛リンク手段のリンク先のページに設けられ、前記成績ランキングを表す表記を有し、前記成績ランキングが含まれるページへと誘導するランキング宛リンクとを含むことを特徴とする。
好ましい実施例では、前記企業広報手段は、前記ＧＳＰのＷＷＷサイトに設けられたスポンサー企業リストを含み、前記スポンサー企業リストは、各スポンサー企業の企業名で表記された各スポンサー企業のＷＷＷサイトへのリンクからなる。
好ましい実施例では、前記ＧＳＰのＷＷＷサイトは、会員の個人情報を収集する情報収集手段を備える。この構成によれば、会員の個人情報を収集することができるので、販売促進にさらに役立つ。
前記情報収集手段は、会員のみゲームができるようにする基本情報収集手段を含む。
好ましい実施例では、前記基本情報収集手段は、前記訪問者に前記訪問者の基本的情報を入力し、かつログイン時に使用するキー情報を決定することにより会員として登録する会員登録手段と、前記キー情報を用いてログインに成功した場合のみ、前記ゲームを許すログイン手段とを含むことを特徴とする。
前記情報収集手段は、前記会員の趣味やライフスタイルなどに関わる種々の個人的な詳細情報を収集する詳細情報収集手段をさらに含むことが好ましい。
好ましい実施例では、前記詳細情報収集手段は、前記前記ＧＳＰが主催する種々の賞金ゲームと、各賞金ゲームに先立ち、アンケートに回答させるアンケート手段と、前記アンケートに許される方法で回答した場合に限り、前記賞金ゲームへの参加資格を付与する資格付与手段とを含む。
本発明は、別の面において、ゲームサービスプロバイダ（ＧＳＰ）が作成した種々のゲームにレンタル契約を結んだスポンサー企業に懸賞を付けさせ、これらの懸賞ゲームを前記スポンサー企業の販売促進に役立つ形で会員に提供するゲームサービス方法を提供する。本発明のゲームサービス方法は、スポンサー企業を獲得するためのスポンサー獲得手段と、各スポンサー企業が主催する懸賞ゲームを提供する懸賞ゲームページとを含むＧＳＰのＷＷＷ（world wide web）サイトを作成運用するステップと、各スポンサー企業ごとに、当該スポンサー企業の懸賞ゲームを案内する懸賞ゲーム案内ページを当該スポンサー企業のＷＷＷサイトに設けるステップと、各スポンサー企業の広報に寄与する企業広報手段を設けるステップとを含むことを特徴とする。このゲームサービス方法によれば、各スポンサー企業の広報に寄与するので、販売促進に役立つ。
本発明のゲームサービス方法は、各スポンサー企業ごとに、会員を当該スポンサー企業の懸賞ゲームページから当該スポンサー企業のＷＷＷサイトへと誘導する会員誘導手段を前記企業広報手段として設けるステップをさらに含むことを特徴とする。
本発明のゲームサービス方法は、前記企業広報手段として、前記ＧＳＰのＷＷＷサイトにスポンサー企業リストを設けるステップと、新たなスポンサー企業を獲得した場合、前記新たなスポンサー企業の企業名で表記された前記新たなスポンサー企業のＷＷＷサイトへのリンクを前記スポンサー企業リストに追加するステップとをさらに含むことを特徴とする。
本発明のゲームサービス方法は、前記ＧＳＰのＷＷＷサイトに、会員の個人情報を収集する情報収集手段を設けるステップをさらに含むことを特徴とする。この方法によれば、会員の個人情報を収集することができるので、販売促進にさらに役立つ。
【発明の効果】
【０００５】
本発明によれば、会員をスポンサー企業の懸賞ゲームページからスポンサー企業のＷＷＷサイトへと誘導するので、各スポンサー企業の広報に寄与することにより、販売促進に役立つ。
また、会員の基本的な個人情報のみならず詳細な個人情報も収集することができるので、販売促進にさらに有効である。
【発明を実施するための最良の形態】
【０００６】
以下、本発明の実施の形態例と添付図面により本発明を詳細に説明する。
なお、複数の図面に同じ要素を示す場合には同一の参照符号を付ける。
図１は、本発明の好ましい実施形態によるゲームサービスシステムのハードウェア構成を概念的に示すブロック図である。図１において、本発明のゲームサービスシステムは、インターネット２に接続され、ゲームサービスプロバイダ（ＧＳＰ）のＷＷＷサイト１００が設置されたサーバ１と、ＧＳＰと懸賞ゲームのレンタル契約を結んだスポンサー企業Ａ、Ｂ、・・・のＷＷＷサイト（以降、単に「サイト」と称する）３ａ、３ｂ、・・・と、ＧＳＰのサーバ１及びサイト３ａ、３ｂ、・・・を相互に接続可能なインターネット２からなる。サーバ１は、ＧＳＰサイトを構成するプログラム（及び必要なデータも含む）１００を格納するハードディスク（ＨＤ）１０を備える（なお、本明細書においては、ＧＳＰサイトとこれを構成するソフトウェアとを区別する必要はないので、ともに符号１００で表す。）。サーバ１は、記憶及び処理の容量及びスピードが用途に耐えうるコンピュータであれば何でもよい。
【０００７】
図２は、本発明の好ましい実施形態によるゲームサービスシステムを構成するＧＳＰサイト１００とスポンサー企業を代表するＡ社のサイト３との構成を示す図である。図２において、下線付きの表記及び長円で囲んだ表記は、いずれも他のページにジャンプするリンクを表す。これらのリンクの要素記号は、多くの場合（例外もある）、それぞれのジャンプ先（波線の矢印の先端）の要素番号に「Ｌ」を付けたものである。
図２において、ＧＳＰサイト１００においては、トップページからスポンサー企業リスト１１０へのリンク，スポンサー体験ページ１２０へのリンク及びゲーム参加ボタン１３０を操作することができる。スポンサー企業リスト１１０は、スポンサー企業Ａ、Ｂ、・・・へのリンクである社名または企業名１１２から構成される。
【０００８】
スポンサー体験ページ１２０は、ゲームサービスシステムの説明や、スポンサー企業となるために交わす懸賞ゲームのレンタル契約の内容を記載したホスティング規約の他、レンタル可能な懸賞ゲームを体験選択するためのゲームの体験ページ２００（図４参照）へのリンク２００Ｌ及び懸賞ゲームのレンタル契約を結ぶためのホスティング契約のページ（図示せず）へのリンク２２０Ｌを含む。請求項の「スポンサー獲得手段」には、広い意味ではスポンサー体験ページ１２０以下のページが総て対応し、狭い意味ではリンク「ゲームの体験」２００Ｌ及び「ホスティング契約」２２０Ｌとそのジャンプ先の総てが対応する。
【０００９】
図４は、本発明の一実施例によるゲームの体験のページ２００を概略的に示す図である。図４に示すゲーム体験ページ２００には、多数（この例ではＮ）の懸賞用のゲーム（またはこれらのゲームへのリンク）Ｇ１，Ｇ２，・・・，ＧＮの他、トップページへのリンク、前述のホスティング規約へのリンク、及びホスティング契約へのリンク２２０Ｌが含まれる。これにより、既契約の企業の担当者が種々の懸賞用ゲームを体験することができるので、気に入ったゲームが見つかった場合、リンク「ホスティング契約」をクリックして契約ページに移ることができる。契約成立した場合の処理は後述する。
【００１０】
ＧＳＰサイト１００への訪問者が、トップページで「ゲーム参加」ボタン１３０をクリックすると、ログイン（請求項のログイン手段に相当）１３４または無料会員登録（請求項の会員登録手段に相当）１３６の何れかが可能となる。会員であればログインして「ゲームのページ」１３８に進み、ゲームを行うことができるが、非会員の場合、ログインできないので、無料会員登録を行った後、ログインしなければならない。無料会員登録の際に、例えば、氏名、年齢、メールアドレスなど（場合によっては、住所や電話番号まで）を入力し、ログインに必要なキー情報などを決定する。したがって、ＧＳＰは、会員の基本的情報を収集することができるので、ログイン１３４及び無料会員登録１３６の組み合わせは、請求項の基本情報収集手段に相当し、情報収集手段の一部に相当する。
【００１１】
ログイン後の異動先であるゲームのページ１３８には、賞金ゲーム１４０へのリンク１４０Ｌと懸賞ゲーム１５０へのリンク１５０Ｌとがある。
賞金ゲームのページ１４０には、ゲームの成績のRankingボタン１４４Ｌがある。図３は、図２に示した賞金ゲーム１４０または懸賞ゲーム１６０α（α＝ａ、ｂ、・・・）の何れかを行う場合の、ＧＳＰサイト１００の動作の流れを説明するフローチャートである。図３において、ステップ２５０（アンケート手段）において、アンケートのページに移り、会員に回答させる。ステップ２５２において、必要事項の記入に問題がないか否かを判断し、問題がある場合アンケート・ページ２５０に戻る。ステップ２５２において、判断結果がＹＥＳの場合、ステップ２５４（請求項の資格付与手段に相当する）において、賞金ゲームへの参加資格を付与し、ステップ２５６に進みゲームを行うことができる。ステップ２５８において、ゲームが終了すると、ステップ２５０に戻り、別のアンケートページに進む。以降、同様の処理を繰り返す。このようにして、多数の賞金ゲームと各賞金ゲームに関係付けたアンケート・ページを用意することにより、会員の趣味やライフスタイルなど種々の個人的な詳細情報を収集することができる。
【００１２】
なお、賞金ゲームのページ１４０に設けられた賞金ゲームの成績Rankingボタン１４４Ｌをクリックすることにより、ランキング１４４を見ることができ、ランキングに応じて当選者が発表される。以上の説明から分かるように、賞金ゲームのリンク１４０Ｌから先のページは、総て請求項の詳細情報収集手段に相当する。上述の基本情報収集手段と詳細情報収集手段とが情報収集手段に相当する。
【００１３】
ゲームのページ１３８の懸賞ゲームボタン１５０Ｌをクリックすると懸賞ゲームのページ１５０にジャンプし、各スポンサー企業の懸賞ゲーム１６０ａ，１６０ｂ，・・・を行うことができる。懸賞ゲーム１６０ａ，１６０ｂ，・・・には、それぞれのゲームの成績ランキング５０（スポンサー企業のサイト３にある）へのリンク「Ranking」１６２ａ，１６２ｂ，・・・が用意されている。各懸賞ゲーム１６０α（α＝ａ、ｂ、・・・）は、後述のように、図３のフローチャートに従って行われるので、利用者が懸賞ゲーム１６０αを行う度に、その都度異なるアンケートにより利用者の個人情報を収集することができる。
【００１４】
なお、図２の例では、スポンサー企業Ａのゲーム１６０ａのRankingボタン１６２からサイト３のゲーム成績のランキング５０に直接ジャンプしているが、この代わりに、Rankingボタン１６２からサイト３のトップページにジャンプしてもよい。そして、トップページにゲーム成績のランキング５０へのリンク（例えば「懸賞ゲームランキング」）３４Ｌを設けてもよい。このようにした場合、会員である訪問者はスポンサー企業サイト３のトップページから入るので、ゲーム成績のランキング５０に辿り着くまでにＡ社の種々の情報を目にすることになるので、広報効果が高まる。ゲーム成績のランキング５０へのリンク３４Ｌは、請求項のリンク手段の一形態である。
【００１５】
以上の説明から分かるように、Rankingボタン１６２と懸賞ゲームの成績ランキング５０との組み合わせ、及びRankingボタン１６２と懸賞ゲームランキングリンク３４Ｌと懸賞ゲームの成績ランキング５０との組み合わせは、それぞれ請求項の企業広報手段または会員誘導手段の一形態である。
【００１６】
また、スポンサー企業Ａ社のＷＷＷサイト３は、トップページ３０に会社概要や製品情報などへのリンクの他、Ａ社のキャンペーンのページ３２へのリンク（図２の例では「キャンペーン」）３２Ｌを含む。スポンサー企業のサイト３の他の部分に付いては、懸賞ゲームのレンタル契約とも言えるホスティング契約の成立にともなって生成されるので、次の段落で説明する。
【００１７】
図５は、ホスティング契約へのリンク２２０Ｌをクリックし、ホスティング契約ページ（図示せず）において契約が成立した場合のゲームサービスプロバイダ（ＧＳＰ）が行う処理の流れを示すフローチャートである。図５において、ホスティング契約が成立すると、ステップ２２２において、契約した企業Aのサイト３のトップページ３０へのリンクとなるゲーム成績Rankingボタン１６２ａを含むように、Ａ社が選択したゲームＧｉ（ｉ＝１，２，・・・，Ｎ）をＡ社用１６０ａに作り直して、懸賞ゲームのページ１５０に追加する。
【００１８】
次に、ステップ２２４において、ＧＳＰサイト１００のＡ社の懸賞ゲームのページ１６０ａへのリンクとなるPlay Gameボタン６０とゲーム成績ランキング５０とを含むＡ社の懸賞ゲーム案内ページ４０を作成する。このPlay Gameボタン６０により、懸賞ゲームページ４０またはゲーム成績のランキング５０から、このスポンサー企業の懸賞ゲーム１６０ａに移動することが可能となる。
【００１９】
続いて、ステップ２２６において、作成した懸賞ゲーム案内ページ４０を契約したＡ社のサイト３（図２の例では、キャンペーンのページ３２の中に）に追加させ、追加したページ４０へのリンク「懸賞ゲームランキング」３４ＬをＡ社のサイト３のトップページ３０に追加させる。以上のステップにより、会員をスポンサー企業各社の懸賞ゲーム１６０からその企業のサイト３のトップページ経由でゲーム成績ランキング５０へと誘導することが可能となる。
【００２０】
最後に、ＧＳＰサイト１００のスポンサー企業リスト・ページ１１０にＡ社のサイト３（のトップページ３０）へのリンク「Ａ社」１１２を追加する
なお、図５のフローチャートでは、ステップ２２２においてゲーム成績Rankingボタン１６２ａをＡ社のトップページへのリンクとすることにより、会員をスポンサー企業各社の懸賞ゲーム１６０からその企業のサイト３のトップページ経由でゲーム成績ランキング５０へと誘導するようにした。しかし、ステップ２２２ではゲーム成績Rankingボタン１６２ａを設けず、代わりに、ステップ２２４より以降に、ゲーム成績ランキング５０へ直接ジャンプするゲーム成績Rankingボタン１６２ａをＡ社の懸賞ゲームページ１６０ａに追加してもよい。
【００２１】
以上述べたように、本発明によれば、懸賞ゲームのページ１６０からゲーム成績ランキング５０へのリンク１６２のみならず、スポンサー企業リストにより、会員をスポンサー企業の懸賞ゲームページからスポンサー企業のＷＷＷサイトへと誘導できるので、各スポンサー企業の広報に寄与することにより、販売促進に役立つ。
また、ログインと無料会員登録の両機能により、会員の基本的な個人情報を収集することができるのみならず、多数の賞金ゲーム、これらにそれぞれ関係付けられたアンケート・ページ及びゲーム参加資格付与機能の組み合わせにより、詳細な個人情報も収集することができるので、販売促進にさらに有効である。
【００２２】
以上は、本発明の説明のために実施の形態の例を掲げたに過ぎない。したがって、本発明の技術思想または原理に沿って上述の実施の形態に種々の変更、修正または追加を行うことは、当業者には容易である。故に、本発明は、以上述べた実施の形態に捕らわれることなく、ただ特許請求の範囲の記載に従って解釈するべきである。
【図面の簡単な説明】
【００２３】
【図１】本発明の好ましい実施形態によるゲームサービスシステムのハードウェア構成を概念的に示すブロック図である。
【図２】本発明の好ましい実施形態によるゲームサービスシステムを構成するＧＳＰサイト１００とスポンサー企業を代表するＡ社のサイト３との構成を用を示す図である。
【図３】図２の賞金ゲーム１４０または懸賞ゲーム１６０α（α＝ａ、ｂ、・・・）の何れかを行う場合の、ＧＳＰサイト１００の動作の流れを説明するフローチャートである。
【図４】本発明の一実施例によるゲームの体験のページ２００を概略的に示す図である。
【図５】ホスティング契約が成立した場合のゲームサービスプロバイダが行う処理の流れを示すフローチャートである。
【符号の説明】
【００２４】
１  ゲームサービスプロバイダのＷＷＷサイトが設置されたサーバ
２  インターネット
３  スポンサー企業のＷＷＷサイト
１０  ハードディスク
５０  各スポンサー企業提供の懸賞ゲームの成績ランキング
６０  スポンサー企業のＷＷＷサイトから当該企業の懸賞ゲームへのリンク
１００  ゲームサービスプロバイダのＷＷＷサイト
１６０  各スポンサー企業提供の懸賞ゲーム  
１６２  各スポンサー企業提供の懸賞ゲームの成績ランキングへのリンク
【図１】
2006350872.tif 000003
【図２】
2006350872.tif 000004
【図３】
2006350872.tif 000005
【図４】
2006350872.tif 000006
【図５】
2006350872.tif 000007
【手続補正書】
【提出日】平成17年12月12日(2005.12.12)
【手続補正１】
【補正対象書類名】特許請求の範囲
【補正対象項目名】請求項１
【補正方法】変更
【補正の内容】
【請求項１】
ゲームサービスプロバイダ（ＧＳＰ）が作成した種々のゲームにレンタル契約を結んだスポンサー企業に懸賞を付けさせ、これらの懸賞ゲームを前記スポンサー企業の販売促進に役立つ形で会員に提供するゲームサービス方法であって、
前記ゲームサービスプロバイダ（ＧＳＰ）は、
前記スポンサー企業が選択したゲームを、前記ゲームサービスプロバイダ（ＧＳＰ）のゲームのページに追加し、
前記スポンサー企業のゲームへのリンクとなるＰｌａｙ  Ｇａｍｅボタンとゲーム成績ランキングボタンとを、前記スポンサー企業のゲーム案内ページに表示させることを特徴とするゲームサービス方法。
【手続補正２】
【補正対象書類名】特許請求の範囲
【補正対象項目名】請求項２
【補正方法】変更
【補正の内容】
【請求項２】
ゲームサービスプロバイダ（ＧＳＰ）が作成した種々のゲームにレンタル契約を結んだスポンサー企業に懸賞を付けさせ、これらの懸賞ゲームを前記スポンサー企業の販売促進に役立つ形で会員に提供するゲームサービス方法であって、
前記ゲームサービスプロバイダ（ＧＳＰ）は、
ゲーム会員にアンケートページを表示しアンケートの記入がされた場合にゲームへの参加資格を付与し、
ゲームが終了すると別のアンケートページを表示しさらに該アンケートの記入がされた場合に別のゲームへの参加資格を付与することを特徴とするゲームサービス方法。